Podtech/llm-jp-corpus-v4-ja_patent huggingface dataset:
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
表面から音を放射することによって表面へオーディオ周波数の振動を誘導するために表面とともに調整され、オーディオ周波数を持つ入力信号に応答し、第一の軸に沿ってその長さを変える能動素子を備え、前記能動素子は、使用時にある面に係合する脚部と慣性マスとの間に取り付けられ、前記能動素子により発生するオーディオ周波数を持つ振動が前記面に音響的に接続される音響トランスデューサであって、  前記脚部が前記慣性マスにヒンジ結合されており、前記能動素子は、前記第一の軸と前記面の間の角度が使用時に９０°未満となるように前記脚部と前記慣性マスとの間に配置されていることを特徴とする音響トランスデューサ。
【請求項２】
前記角度が４５°以下であることを特徴とする請求項１に記載の音響トランスデューサ。
【請求項３】
前記第一の軸は、使用時、前記面にほぼ平行に延在していることを特徴とする請求項２に記載の音響トランスデューサ。
【請求項４】
前記慣性マスと前記脚部との間の結合手段が弾性的な可とう材料であることを特徴とする請求項１から３のいずれか一項に記載の音響トランスデューサ。
【請求項５】
前記弾性的な可とう材料はコンプライアンスの低い材料であることを特徴とする請求項４に記載の音響トランスデューサ。
【請求項６】
前記材料がバネ鋼であることを特徴とする請求項５に記載の音響トランスデューサ。
【請求項７】
前記脚部の中心が前記音響トランスデューサの重心の真下にあることを特徴とする請求項１に記載の音響トランスデューサ。
【請求項８】
前記慣性マスが一つ又はそれ以上のバッテリ、電気回路網を収容する筐体を備えることを特徴とする請求項１に記載の音響トランスデューサ。
【請求項９】
前記能動素子が磁歪材料で形成されていることを特徴とする請求項１に記載の音響トランスデューサ。
【請求項１０】
前記能動素子が圧電材料で形成されていることを特徴とする請求項１に記載の音響トランスデューサ。
【請求項１１】
少なくとも二つの積層された電磁コイルの影響下にある磁歪素子を備える磁歪アクチュエータであって、  前記積層コイルの周波数応答はそれぞれ異なっており、これらコイルは同時に励起され、前記磁歪アクチュエータは、積層コイルがすべて同じ仕様である場合と比較して、広い周波数帯域を持つことを特徴とする磁歪アクチュエータ。
【請求項１２】
前記積層コイルの巻き数、巻き線の厚み、及び巻き線の抵抗率はそれぞれ異なることを特徴とする請求項１１に記載の磁歪アクチュエータ。
【請求項１３】
前記積層コイルに対する信号はそれそれ異なることを特徴とする請求項１１または１２に記載の磁歪アクチュエータ。
【請求項１４】
第一の能動素子を備え、前記第一の能動素子はオーディオ周波数を持つ入力信号に応答しその長さを変え、前記能動素子は、使用時にパネルの面に係合する脚部と慣性マスとの間に取り付けられており、前記能動素子により発生するオーディオ周波数を持つ振動が前記パネルに伝達される音響信号をパネルに誘導するときに使用する音響アクチュエータであって、  前記慣性マスと前記脚部との間に取り付けられ、前記第一の能動素子の周波数に応答する異なった周波数を持つ第二の能動素子を備えることを特徴とする音響アクチュエータ。
【請求項１５】
前記第一の能動素子が磁歪材料で形成されていることを特徴とする請求項１４に記載の音響アクチュエータ。
【請求項１６】
前記第二の能動素子が磁歪材料で形成されていることを特徴とする請求項１５に記載の音響アクチュエータ。
【請求項１７】
高周波アクチュエータをさらに備えることを特徴とする請求項１４から１６のいずれか一項に記載の音響アクチュエータ。
【請求項１８】
前記高周波アクチュエータが可動コイルアクチュエータであることを特徴とする請求項１７に記載の音響アクチュエータ。
【請求項１９】
前記第二の能動素子は可とうなヨークを備えており、前記ヨークは、磁歪素子の伸縮により前記磁歪素子の縦軸に交軸する方向に前記ヨークが内向き及び外向きの移動を行うように構成されていることを特徴とする請求項１６に記載の音響アクチュエータ。
【請求項２０】
能動素子を有する第一のドライバーを備え、前記能動素子はオーディオ周波数を持つ入力信号に応答し、その長さを変え、前記第一のドライバーは、使用時にパネルに係合する脚部と慣性マスとの間に取り付けられ、前記能動素子により発生するオーディオ周波数を持つ振動が前記パネルに伝達される音響信号を一次パネルに誘導するときに使用する音響アクチュエータであって、  前記慣性マスと前記脚部との間に取り付けられ、前記第一の能動素子の周波数に応答する異なった周波数を持つ第二の能動素子を備えることを特徴とする音響アクチュエータ。
【請求項２１】
前記第一のドライバーが磁歪材料で形成されていることを特徴とする請求項２０に記載の音響アクチュエータ。
【請求項２２】
前記第二のドライバーが可動コイルで形成されていることを特徴とする請求項２０または２１に記載の音響アクチュエータ。
【請求項２３】
前記第二のドライバーが前記第一のドライバーに取り付けられていることを特徴とする請求項２０から２２のいずれか一項に記載の音響アクチュエータ。
【請求項２４】
リアクションマスをさらに備え、  前記リアクションマスはその第一の面に凹部を有し、前記凹部には前記第一のドライバーおよび前記第二のドライバーが配置されており、前記第一の面とは反対側に第二の面を有し、通路が前記凹部と前記第二の面との間に連通していることを特徴とする請求項２３に記載の音響アクチュエータ。
【請求項２５】
前記通路の幅が約４ｍｍであることを特徴とする請求項２４に記載の音響アクチュエータ。
【請求項２６】
前記第二のドライバーが柔軟な取り付け部を介して前記第一のドライバーに取り付けられていることを特徴とする請求項２３から２５のいずれか一項に記載の音響アクチュエータ。
【請求項２７】
前記柔軟な取り付け部は一つ又はそれ以上の弾性部材であることを特徴とする請求項２６に記載の音響アクチュエータ。
【手続補正書】
【提出日】平成18年10月24日(2006.10.24)
【手続補正１】
【補正対象書類名】明細書
【補正対象項目名】００１２
【補正方法】変更
【補正の内容】
【００１２】
タンデムによらない動作を実行するには、送信端および受信端のボコーダに互換性がなければならない。したがって、同じ通信ネットワーク内の端末間で広帯域信号が交換されるときは、問題はない。米国出願公開番号第2002-0131377号として公開されている現在審査中の米国特許出願（代理人整理番号 010004）（“COMMUNICAITONS USING WIDEBAND TERMINALS”）は、この問題に対処している。しかしながら、互換性のないネットワークの端末間で広帯域信号を交換したいときは、問題がある。
【手続補正２】
【補正対象書類名】明細書
【補正対象項目名】００２５
【補正方法】変更
【補正の内容】
【００２５】
図２は、図１の無線通信システムの通信装置内に位置する種々のボコーダによって行われる符号化および復号機能のブロック図である。遠隔局または端末12aは、符号化部分202と復号部分203とをもつボコーダ201を含む通信装置である。アナログ音声は遠隔端末12aによって受信され、符号化部分202によってパケット化されたデータへ符号化される。パケット化されたデータは、基地局14aへ伝送される。ボコーダ211の復号部分213は、パケット化されたデータを、ＰＳＴＮ（図示されていない）上で伝送するために標準のパルス符号被変調（pulse code modulated, PCM）信号へ変換する。ＰＣＭ信号は、ＰＳＴＮによって目標の基地局14bへ伝送され、目標の基地局14bは目標の遠隔端末12cへ知らせる。目標の基地局14bのボコーダ221の符号化部分222は、ＰＣＭ信号を、遠隔端末12cへ伝送するために、パケット化されたデータへ符号化する。遠隔端末12cのボコーダ231の復号部分233は、パケット化されたデータを復号し、合成音声を形成する。
【手続補正３】
【補正対象書類名】明細書
【補正対象項目名】００２６
【補正方法】変更
【補正の内容】
【００２６】
上述の処理は、遠隔端末12cから、符号器232、復号器223、および符号器212を経由して、遠隔端末12aへ信号を伝送するのにも使用される。図２によって示されているように多数のボコーダを使用することは、“タンデムボコーディング”と呼ばれる。音声信号に対して多数の符号化および復号機能が行われるために、音声信号の劣化が生じる。発信端末のボコーダが、目標の宛先のボコーダと同じ構成をもつときは、タンデムボコーディングをバイパスすることができる。ボコーダバイパスの構成の詳細は、米国特許第5,956,673号（“Detection and Bypass of Tandem Vocoding Using Detection Codes”）に記載されており、これは、本発明の譲受け人に譲渡され、ここでは参考文献として取り上げている。とくに、疑似ランダム検出符号をＰＣＭ出力内に埋め込むことができるので、正しいサービスオプションプログラミングをもつ受信ボコーダは、その符号を検出して、発信側が同様のボコーダを使用したと判断することができる。遠隔端末のボコーダが同じであるときは、目標の遠隔端末の復号器は、発信遠隔端末によって生成された符号化された音声を復号することができる。しかしながら、ボコーダが異なるときは、従来技術では、タンデムボコーディングのバイパスを行なうことができなかった。
【手続補正４】
【補正対象書類名】明細書
【補正対象項目名】００３０
【補正方法】変更
【補正の内容】
【００３０】
目標のインフラストラクチャエンティティにおいて、再構成されたボコーダフレームは、目標の端末に直接に送られる。互換性のないインフラストラクチャエンティティから、互換性のない目標の端末へボコーダフレームを送るのに必要な手続きおよび装置は、米国出願公開番号第2004-0081195号として公開されている現在審査中の米国特許出願（代理人整理番号 020742）に記載されている。この米国特許出願では、インフラストラクチャエンティティにおいて、ボコーダフレームは、ボコーダフレームを変換するのではなく、ボコーダフレームを再フォーマットすることによって、互換性のないシステムのボコーダ間で送られる。再フォーマッティングの詳細は、ここではさらに記載されない。
【手続補正５】
【補正対象書類名】明細書
【補正対象項目名】００３１
【補正方法】変更
【補正の内容】
【００３１】
ここに記載されている実施形態は、ＰＣＭシンボルをボコーダフレームのビットでパンクチャするための、発信インフラストラクチャエンティティにおける手続きおよび装置と、パンクチャされたＰＣＭシンボルからボコーダフレームのビットを抽出するための、目標インフラストラクチャエンティティにおける手続きおよび装置とに関する。タンデムによらない動作を設定するための設定手続きは、本明細書の主題ではない。
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
腫瘍を有する患者において腫瘍成長を抑制する医薬の製造のための、ラミニン５γ２鎖の１以上のエピトープに結合する抗体の使用。
【請求項２】
前記抗体がモノクローナル抗体である、請求項１に記載の使用。
【請求項３】
前記腫瘍が癌である、請求項１又は２に記載の使用。
【請求項４】
前記医薬が、１以上のさらなる抗腫瘍薬剤をさらに含む、請求項１〜３のいずれか１項に記載の使用。
【請求項５】
前記さらなる抗腫瘍薬剤が、化学療法薬剤である、請求項４に記載の使用。
【請求項６】
ラミニン５γ２鎖のドメインＩＩＩの１又は１以上のエピトープに結合するが、配列番号９及び１０のアミノ酸配列内のエピトープに結合しない単離された抗体。
【請求項７】
前記抗体が、モノクローナル抗体である、請求項６に記載の単離された抗体。
【請求項８】
請求項６に記載の単離された抗体及び医薬として許容される担体を含む医薬組成物。
【請求項９】
請求項７に記載のモノクローナル抗体を発現する単離されたハイブリドーマ細胞。
【請求項１０】
腫瘍を有する患者において腫瘍成長抑制、腫瘍転移抑制、及び浸潤細胞の検出のうちの１以上を行う医薬の製造のための、請求項６又は７に記載の単離された抗体の使用。
【請求項１１】
ラミニン５γ２鎖のドメインIII内の１以上のエピトープに結合する抗体及びさらなる抗腫瘍薬剤を含む医薬組成物。
【請求項１２】
前記さらなる抗腫瘍薬剤が化学療法薬剤である、請求項１１に記載の医薬組成物。
【請求項１３】
組織において浸潤細胞の存在を検出するための方法であって、
組織サンプルを請求項６又は７に記載の抗体と接触させて、免疫複合体を形成し、そして
該免疫複合体の形成を検出することを含み、ここで該免疫複合体の形成が、上記組織における浸潤細胞の存在と相関する、前記方法。
【請求項１４】
腫瘍を有する患者において腫瘍成長を抑制するための医薬組成物であって、ラミニン５γ２鎖の１以上のエピトープに結合する抗体を含む、前記医薬組成物。
【請求項１５】
前記抗体がモノクローナル抗体である、請求項１４に記載の医薬組成物。
【請求項１６】
前記腫瘍が癌である、請求項１４又は１５に記載の医薬組成物。
【請求項１７】
１以上のさらなる抗腫瘍薬剤をさらに含む、請求項１４〜１６のいずれか１項に記載の医薬組成物。
【請求項１８】
前記さらなる抗腫瘍薬剤が、化学療法薬剤である、請求項１７に記載の医薬組成物。
【請求項１９】
腫瘍を有する患者における腫瘍成長抑制、腫瘍転移抑制、又は浸潤細胞の検出用の医薬組成物であって、請求項６又は７に記載の単離された抗体を含む、医薬組成物。
【手続補正書】
【提出日】平成18年10月18日(2006.10.18)
【手続補正１】
【補正対象書類名】特許請求の範囲
【補正対象項目名】請求項８
【補正方法】変更
【補正の内容】
【請求項８】
腫瘍細胞の増殖によって引き起こされるかまたは悪化する疾患の治療および予防のための、請求項７に記載の医薬組成物。
【手続補正２】
【補正対象書類名】明細書
【補正対象項目名】００３３
【補正方法】変更
【補正の内容】
【００３３】
式（Ｉ）（ここで、置換基R3および／またはR4および／またはR5はヒドロキシ基を含む）の化合物を製造するために、まず式（Ｉ）（ここで、置換基R3および／またはR4および／またはR5は保護されたヒドロキシ基を含む）の類似化合物を製造し、次いでその後の工程において、この基を当業者に公知の方法によってヒドロキシに変換することができる。ヒドロキシの保護基として、例えばベンジル、ベンゾイルまたは(C1−C4)アルキルを用いることができる。
【手続補正３】
【補正対象書類名】明細書
【補正対象項目名】００７０
【補正方法】変更
【補正の内容】
【００７０】
Ｃ）エチル  4−(N'−アセチル−N'−メチルヒドラジノ)ベンゾエート
60％ NaH（0.72 g）をDMF（20 ml）中に懸濁する。混合物を0℃に冷却し、次いでDMA（20 ml）中に溶解した前工程からの化合物（4.0 g）を加える。混合物を0℃で15分間撹拌し、次いでヨードメタン（1.7 ml）を加え、混合物を0℃で30分間撹拌する。これをNH4Cl飽和溶液に注ぎ、AcOEtで抽出する。有機相をNaCl飽和溶液で洗浄し、MgSO4で乾燥し、次いでシリカに吸着させる。AcOEt／石油エーテル(v/v; 50/50)混液で溶出するシリカカラムクロマトグラフィーにより精製する。油状物（1.8 g）を得る。
NMR CDCl3 (300 MHz): 1.38 ppm : t : 3H; 2.15 ppm : s : 3H; 3.17 ppm : s : 3H; 4.35 ppm : q (J=7.1) : 2H; 6.10 ppm : s : 1H; 6.71 ppm : d (J=8.8) : 2H; 7.99 ppm : d : 2H
【手続補正４】
【補正対象書類名】明細書
【補正対象項目名】０１４２
【補正方法】変更
【補正の内容】
【０１４２】
実施例２８：化合物９２
9−(3−アミノプロピル)−3−(2,4−ジクロロフェニル)−1,6−ジメチル−1,9−ジヒドロ−2H−ピリド[2,3−b]−インドール−2−オン塩酸塩
Ａ）2−(3−(3−(2,4−ジクロロフェニル)−1,6−ジメチル−2−オキソ−1,2−ジヒドロ−9H−ピリド[2,3−b]インドール−9−イル)プロピル)−1H−イソインドール−1,3(2H)−ジオン
化合物４６（0.5 g）をDMF（5 ml）中に溶解し、95％ NaH（107 mg）を加え、混合物をATで10分間撹拌する。2−(3−ブロモプロピル)−1H−イソインドール−1,3(2H)−ジオン（1.25 g）を加え、混合物をATで18時間撹拌する。混合物を蒸発させ、残渣をCH2Cl2中に採取し、有機相をNaCl、次いでH2Oで洗浄する。CHCl3/MeOH (v/v; 98/2)で溶出するシリカクロマトグラフに付す。所期の物質（160 mg）を得る。M.p. = 249℃
【手続補正５】
【補正対象書類名】明細書
【補正対象項目名】０１４３
【補正方法】変更
【補正の内容】
【０１４３】
Ｂ）9−(3−アミノプロピル)−3−(2,4−ジクロロフェニル)−1,6−ジメチル−1,9−ジヒドロ−2H−ピリド[2,3−b]−インドール−2−オン塩酸塩
上記の工程からの化合物（180 mg）、THF（3.2 ml）、EtOH（5 ml）およびヒドラジン水和物（33 μl）を混合する。混合物を18時間加熱還流し；ろ過し、HCl相を蒸発させる。乾燥して、所期の物質（16 mg）を得る。M.p. = 198℃
【手続補正６】
【補正対象書類名】明細書
【補正対象項目名】０１７０
【補正方法】変更
【補正の内容】
【０１７０】
化合物 61: NMR d6−DMSO (300 MHz): 2.40 ppm:s:3H; 3.25 ppm:s:6H; 7.02 ppm:d:1H; 7.23−7.36 ppm: 未解析ピーク: 3H; 7.61−7.68 ppm: 未解析ピーク: 3H [または 7.05 ppm:d(J=8.1):1H; 7.35 ppm:d(J=8.1):1H; 7.73 ppm:s:1H; 7.78 ppm: 未解析ピーク: 4H]; 8.3 ppm:s:1H.
化合物 62: NMR d6−DMSO (300 MHz): 2.43 ppm:s:3H; 3.70 ppm:s:3H; 3.88 ppm:s:3H; 7.05−8.50 ppm: 未解析ピーク: 8H; 11.97 ppm:s:1H.
化合物 63: NMR d6−DMSO (300 MHz): 2.41 ppm:s:3H; 3.66 ppm:s:3H; 6.75−9.80 ppm:
未解析ピーク: 8H; 11.87 ppm:s:1H.
【手続補正７】
【補正対象書類名】明細書
【補正対象項目名】０１７１
【補正方法】変更
【補正の内容】
【０１７１】
化合物 64: NMR d6−DMSO (300 MHz): 2.42 ppm:s:3H; 3.67 ppm:s:3H; 4.88 ppm: 未解析ピーク: 2H; 6.47−8.16 ppm: 未解析ピーク: 8H [または 6.49 ppm:d(J=7.5):1H; 6.84 ppm: d(J=7.5):1H; 6.92−7.15 ppm: 未解析ピーク: 3H; 7.34 ppm:d(J=8.1):1H; 7.65 ppm: 未解析ピーク; 1H; 8.18 ppm: 未解析ピーク: 1H]; 11.82 ppm: 未解析ピーク: 1H.
化合物 65: NMR d6−DMSO (300 MHz): 2.43 ppm:s:3H; 3.707 ppm:s:3H; 7.04−8.47 ppm: 未解析ピーク: 8H; 11.95 ppm:s:1H
【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
女性個体における性的欲求および性的反応性を高めるための随時の局所薬学的処方物であって、ここで、該処方物は、以下：
（ａ）ＩＩＩ型ホスホジエステラーゼインヒビター、ＩＶ型ホスホジエステラーゼインヒビター、Ｖ型ホスホジエステラーゼインヒビターおよび非特異的ホス ホジエステラーゼインヒビターから選択される薬理学的に有効な単位投薬量のホスホジエステラーゼインヒビターであって、ここで、該単位投薬量が、約５μｇ〜約１２５ｍｇの範囲である、ホスホジエステラーゼインヒビター；ならびに
（ｂ）該個体の外陰部および／または膣の粘膜表面との接触後、約１分〜約６０分以内に、該処方物からの該ホスホジエステラーゼインヒビターの完全な放出を提供する、薬学的に受容可能な局所キャリア
を含有する、処方物。
【請求項２】
前記単位投薬量が、約５０μｇ〜約５０ｍｇの範囲である、請求項１に記載の処方物。
【請求項３】
前記薬学的に受容可能な局所キャリアが、該個体の外陰部および／または膣の粘膜表面との接触後、約５分〜約６０分以内に、前記処方物からの前記ホスホジエステラーゼインヒビターの完全な放出を提供する、請求項１または請求項２に記載の処方物。
【請求項４】
前記ホスホジエステラーゼインヒビターが、ＩＩＩ型ホスホジエステラーゼインヒビターである、請求項１、２または３のいずれか１項に記載の薬学的処方物。
【請求項５】
前記ＩＩＩ型ホスホジエステラーゼインヒビターが、ビピリジン、イミダゾロン、イミダゾリン、ジヒドロピリダジノン、キノリノン、アナグレリド、ベモラダ ン（ｂｅｍｏｒａｄａｎ）、イソマゾール（ｉｓｏｍａｚｏｌｅ）、リキサジノン（ｌｉｘａｚｉｎｏｎｅ）、ピモベンダン（ｐｉｍｏｂｅｎｄａｎ）、シグアゾダン（ｓｉｇｕａｚｏｄａｎ）およびトレキンシン（ｔｒｅｑｕｉｎｓｉｎ）からなる群より選択される、請求項４に記載の薬学的処方物。
【請求項６】
前記ＩＩＩ型ホスホジエステラーゼインヒビターが、（５−（４−アセトアミドフェニル）ピラジン−２−（１Ｈ）−オン）、アムリノン、アネルグレリド （ａｎｅｒｇｒｅｌｉｄｅ）、ベモラダン、シロスタミド（ｃｉｌｏｓｔａｍｉｄｅ）、シロスタゾール、エノキシモン（ｅｎｏｘｉｍｏｎｅ）、イマゾダン（ｉｍａｚｏｄａｎ）、インドリダン（ｉｎｄｏｌｉｄａｎ）、イソマゾール（ｉｓｏｍａｚｏｌｅ）、リキサジノン、５−メチルイマゾダン （ｍｅｔｈｙｌｉｍａｚｏｄａｎ）、ミルリノン、ピモベンダン、ピロキシモン（ｐｉｒｏｘｉｍｏｎｅ）、シグアゾダン、トレケンシン（ｔｒｅｑｕｅｎｓｉｎ）およびベスナリノンから選択される、請求項５に記載の薬学的処方物。
【請求項７】
前記ホスホジエステラーゼインヒビターが、ＩＶ型ホスホジエステラーゼインヒビターである、請求項１、２または３のいずれか１項に記載の薬学的処方物。
【請求項８】
前記ＩＶ型ホスホジエステラーゼインヒビターが、ロリプラム、４−（３−ブチルオキシ−４−メトキシフェニル）−イミダゾリジノン（ＲＯ２０− １７２４）、ニトラクアゾン（ｎｉｔｒａｑｕａｚｏｎｅ）、１−（カルボメトキシフェニル）−３−ベンジルピリド［２，３ｄ］ピリミジン−２，４（１Ｈ，３Ｈ）ジオン（ＣＰ−７７０５９）、１−（３−ニトロフェニル）−３−（４−ピリジルメチル）−１，２，３，４−テトラヒドロピリド（２，３−ｄ）ピリミ ジン−２，４−ジオン（ＲＳ−２５３４４−００）、デンブフィリン（ｄｅｎｂｕｆｙｌｌｉｎｅ）、エタゾレート（ｅｔａｚｏｌａｔｅ）、５−［１−（３、４−ジメトキシベンゾイル）−４，４−ジメチル−１，２，３，４−テトラヒドロキノリン（ｃｈｉｎｏｌｉｎ）−６−イル］−６−メチル−３，６−ジヒドロ−１，３，４−チアジアジン−２−オン（ＥＭＤ５４６２２）、アロフィリン（ａｒｏｆｙｌｌｉｎｅ）およびこれらの誘導体からなる群より選択される、請求項７に記載の薬学的処方物。
【請求項９】
前記ホスホジエステラーゼインヒビターが、Ｖ型ホスホジエステラーゼインヒビターである、請求項１、２または３のいずれか１項に記載の薬学的処方物。
【請求項１０】
前記Ｖ型ホスホジエステラーゼインヒビターが、ピラゾロピリミジノン、グリセオリン酸（ｇｒｉｓｅｏｌｉｃ  ａｃｉｄ）誘導体、２−フェニルプリノン、 フェニルピリドン誘導体、ピリミジン、ピリミドピリミジン、プリン、キナゾリン、キナゾリノン、キノキサリン、ベンズイミダゾール、シクロヘプタイミダゾール、フェニルピリミジノン、イミダゾキナゾリンおよびイミダゾキノキサリノンまたはそのアザアナログからなる群より選択される、請求項８に記載の薬学 的処方物。
【請求項１１】
前記Ｖ型ホスホジエステラーゼインヒビターがピラゾロピリミジノンである、請求項１０に記載の薬学的処方物。
【請求項１２】
前記Ｖ型ホスホジエステラーゼインヒビターが、シルデナフィルおよびその酸付加塩より選択される、請求項１１に記載の薬学的処方物。
【請求項１３】
前記Ｖ型ホスホジエステラーゼインヒビターがタダラフィルである、請求項９に記載の薬学的処方物。
【請求項１４】
前記Ｖ型ホスホジエステラーゼインヒビターがザプリナストである、請求項９に記載の薬学的処方物。
【請求項１５】
前記Ｖ型ホスホジエステラーゼインヒビターがジピリダモールである、請求項９に記載の薬学的処方物。
【請求項１６】
前記Ｖ型ホスホジエステラーゼインヒビターがバルデナフィルである、請求項９に記載の薬学的処方物。
【請求項１７】
前記Ｖ型ホスホジエステラーゼインヒビターが、（Ｓ）−２−（２−ヒドロキシメチル−１−ピロリジニル）−４−（３−クロロ−４−メトキシ−ベンジルアミ ノ）−５−［Ｎ−（２−ピリミジニルメチル）カルバモイル］ピリミジン、２−（５，６，７，８−テトラヒドロ−１，７−ナフチリジン−７−イル）−４−（３−クロロ−４−メトキシベンジルアミノ）−５−［Ｎ−（２−モルホリノエチル）カルバモイル］−ピリミジンおよび（Ｓ）−２−（２−ヒドロキシメチル −１−ピロリジニル）−４−（３−クロロ−４−メトキシ−ベンジルアミノ）−５−［Ｎ−（１，３，５−トリメチル−４−ピラゾリル）カルバモイル］−ピリミジンより選択される、請求項９に記載の薬学的処方物。
【請求項１８】
前記ホスホジエステラーゼインヒビターが非特異的ホスホジエステラーゼインヒビターである、請求項１、２または３のいずれか１項に記載の薬学的処方物。
【請求項１９】
前記ホスホジエステラーゼインヒビターが、テオフィリン、ＩＢＭＸ、ペントキシフィリンおよびパパベリンからなる群より選択される、請求項１８に記載の薬学的処方物。
【請求項２０】
追加の活性因子をさらに含む、請求項１に記載の薬学的処方物。
【請求項２１】
女性個体における性的欲求および性的反応性を高めるための組成物であって、該組成物は請求項１に記載の処方物を含み、該個体に、長期的な投薬レジメンの状況内で定期的投薬を伴わずに随時に投与するのに適している、組成物。
【請求項２２】
前記個体が、性機能不全になりやすいか、または、性機能不全に罹患している、請求項２１に記載の組成物。
【請求項２３】
前記性機能不全が、興奮期性機能不全である、請求項２２に記載の組成物。
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
腎炎を効果的に処置するための医薬の製造における抗体またはその結合フラグメントの使用であって、該抗体またはその結合フラグメントが血小板由来成長因子ＤＤ（ＰＤＧＦ−ＤＤ）と結合する、使用。
【請求項２】
該抗体が完全ヒトモノクローナル抗体である、請求項１記載の使用。
【請求項３】
該腎炎が、メサンギウム増殖性腎炎、メサンギウム増殖性糸球体腎炎、メサンギウム毛細管性糸球体腎炎、全身性エリテマトーデス、糸球体腎炎、進行性腎疾患、腎間質性線維症、腎不全、および糖尿病性腎症からなる群から選択される、請求項１記載の使用。
【請求項４】
該腎炎が糸球体またはメサンギウム細胞の増殖と関連する、請求項１記載の使用。
【請求項５】
該医薬が生理的に許容される緩衝液をさらに含む、請求項１記載の使用。
【請求項６】
メサンギウム細胞の増殖を阻害するための医薬の製造における抗体またはその結合フラグメントの使用であって、該抗体またはその結合フラグメントが血小板由来成長因子ＤＤ（ＰＤＧＦ−ＤＤ）と結合する、使用。
【請求項７】
該抗体が完全ヒトモノクローナル抗体である、請求項６記載の使用。
【請求項８】
該メサンギウム細胞がヒトメサンギウム細胞である、請求項６記載の使用。
【請求項９】
該医薬が生理的に許容される緩衝液をさらに含む、請求項６記載の使用。
【請求項１０】
腎炎を検出するための組成物であって、該組成物は、ＰＤＧＦ−ＤＤと結合する抗体またはその結合フラグメントを含み、該組成物は、腎炎に対するリスクのある患者由来の腎臓細胞を、該抗体またはその結合フラグメントと接触させるのに適し、
ここで、検出可能な結合が腎炎の指標となる、組成物。
【請求項１１】
該抗体がモノクローナル抗体である、請求項１０記載の組成物。
【請求項１２】
該抗体が完全ヒトモノクローナル抗体である、請求項１０記載の組成物。
【請求項１３】
該抗体が、蛍光色素、酵素、放射性核種、および放射線不透過物質からなる群から選択されるマーカーで標識されている、請求項１０記載の組成物。
【請求項１４】
該結合フラグメントがＦａｂ’フラグメントを含む、請求項１０記載の組成物。
【請求項１５】
該腎炎が、メサンギウム増殖性腎炎、メサンギウム増殖性糸球体腎炎、メサンギウム毛細管性糸球体腎炎、全身性エリテマトーデス、糸球体腎炎、進行性腎疾患、腎間質性線維症、腎不全、および糖尿病性腎症からなる群から選択される、請求項１０記載の組成物。
【請求項１６】
動物において、腎炎を効果的に処置するための組成物であって、該組成物は、血小板由来成長因子ＤＤ（ＰＤＧＦ−ＤＤ）と結合する抗体またはその結合フラグメントの治療上有効用量を含む、組成物。
【請求項１７】
該動物がヒトである、請求項１６記載の組成物。
【請求項１８】
該抗体が完全ヒトモノクローナル抗体である、請求項１６記載の組成物。
【請求項１９】
該腎炎が、メサンギウム増殖性腎炎、メサンギウム増殖性糸球体腎炎、メサンギウム毛細管性糸球体腎炎、全身性エリテマトーデス、糸球体腎炎、進行性腎疾患、腎間質性線維症、腎不全、および糖尿病性腎症からなる群から選択される、請求項１６記載の組成物。
【請求項２０】
該腎炎が、糸球体またはメサンギウム細胞の増殖と関連する、請求項１６記載の組成物。
【請求項２１】
該組成物が皮下注射による投与に適する、請求項１６記載の組成物。
【請求項２２】
該組成物が筋肉内注射による投与に適する、請求項１６記載の組成物。
【請求項２３】
メサンギウム細胞の増殖を阻害するための組成物であって、該組成物は、血小板由来成長因子ＤＤ（ＰＤＧＦ−ＤＤ）と結合するモノクローナル抗体またはその結合フラグメントを含み、
ここで、該モノクローナル抗体は、増殖メサンギウム細胞を、該細胞の阻害された増殖となる条件下で接触させるのに適する、組成物。
【請求項２４】
該抗体が完全ヒトモノクローナル抗体である、請求項２３記載の組成物。
【請求項２５】
該メサンギウム細胞がヒトメサンギウム細胞である、請求項２３記載の組成物。
【請求項２６】
動物において、メサンギウム増殖性糸球体腎炎を効果的に処置するための組成物であって、
該組成物は、血小板由来成長因子ＤＤ（ＰＤＧＦ−ＤＤ）と結合する抗体またはその結合フラグメントの治療上有効量を含む、組成物。
【請求項２７】
該動物がヒトである、請求項２６記載の組成物。
【請求項２８】
該抗体が完全ヒトモノクローナル抗体である、請求項２６記載の組成物。
【請求項２９】
該組成物が皮下注射による投与に適する、請求項２６記載の組成物。
【請求項３０】
該組成物が筋肉内注射による投与に適する、請求項２６記載の組成物。
【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
蛋白質の再折り畳みをもたらす方法であって、蛋白質の溶液又は懸濁液に、前記蛋白質が変性しない十分弱い強度で、１０kHz以上１MHz未満の周波数の弱い強度の音波を当て、前記強度が音響キャビテーションを生じるよりも弱いことを特徴とする、方法。
【請求項２】
前記音波の強度が、１０〜３００mW/cm2である、請求項１記載の方法。
【請求項３】
前記強度が、１００mW/cm2未満である、請求項１又は２記載の方法。
【請求項４】
前記蛋白質の溶液又は懸濁液が、可溶化された蛋白質の溶液を希釈液と混合することによって希釈して製造される、請求項１〜３のいずれか一項に記載の方法。
【請求項５】
前記混合が、流体ボルテックスミキサーに通過させることによって行われる、請求項４記載の方法。
【手続補正書】
【提出日】平成18年8月8日(2006.8.8)
【手続補正１】
【補正対象書類名】明細書
【補正対象項目名】００１２
【補正方法】変更
【補正の内容】
【００１２】
多くの造影剤及び／又は検出試薬が知られている。しかし、多くは単機能のものにすぎず、二元機能のものではない。単機能造影剤に関する先行技術は、２つの異なるモダリティーから同時に画像を得る単一の検出試薬を使用することができることを示唆するものではない。幾つかの二元機能検出試薬が知られているものの、そのいずれも、常に活性化されている第一成分と、所定の事象の存在下でのみ検出可能なシグナルを発する（特殊な酵素の存在下でのみ検出可能な光を発する）活性化可能な第二成分を含むものではない。さらに、二元機能造影剤に関する先行技術で、活性化可能な光学イメージング成分の使用について開示又は示唆したものはないし、磁気共鳴イメージング剤を活性化可能な光学イメージング成分と組合せることを開示又は示唆したものもない。
【特許文献１】米国特許第６１２３９２１号
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
使用者へのフィードバックと、シート分配以外の機能との、いずれか一方を提供可能なシート分配装置であって、
前記フィードバックは、
（ａ）前記シート分配装置の筐体の内部で、分配可能なシートスタックの下に配置され、該筐体内での該シートスタックの移動により目視できるインディシアの、視覚フィードバックと、
（ｂ）前記筐体の内部または外部の視覚フィードバック生成／信号受信デバイスからの視覚フィードバックと、
（ｃ）前記筐体の内部または外部の音声フィードバック生成／信号受信デバイスからの音声フィードバックと、
（ｄ）（ｉ）前記筐体の内部からの、または（ｉｉ）前記筐体の内部もしくは外部の芳香フィードバック生成／信号受信デバイスからの、芳香フィードバックと、
（ｅ）これらフィードバックの組み合わせとの、いずれか１つを含み、
前記機能は、
（Ａ）信号を前記筐体の内部または外部の信号受信デバイスに送信すること、を含む、
シート分配装置。
【請求項２】
前記シート分配装置の筐体の内部でシートスタックの下に配置されて該筐体内での該シートスタックの移動により目視できるインディシアの、視覚フィードバックを与える、請求項１に記載のシート分配装置において、
前記筐体が、
開口部を有する上部筐体部材と、
前記上部筐体部材に少なくとも一時的に取り付けられる上面を有する下部筐体部材とを備え、
前記分配可能なシートスタックが、前記上部筐体部材と前記下部筐体部材との間に配置され、シートを該シートスタックから除去する間に、前記筐体の内部で第１位置から第２位置まで往復移動する、請求項１に記載のシート分配装置。
【請求項３】
前記筐体の内部または外部の信号受信デバイスへ信号を送信できる、請求項１に記載のシート分配装置において、
少なくとも１つの活性化可能デバイスを具備し、該少なくとも１つの活性化可能デバイスが、前記筐体の内部での前記シートスタックの移動により活性化する、請求項１に記載のシート分配装置。
【請求項４】
前記少なくとも１つの活性化可能デバイスが、機械的スイッチ、フォトダイオード、雄雌一対の電気接触子、またはこれらの組み合わせを含む、請求項３に記載のシート分配装置。
【請求項５】
前記筐体の内部または外部の音声フィードバック生成／信号受信デバイスからの音声フィードバックを提供できる、請求項１に記載のシート分配装置において、
前記シート分配装置の内部または前記シート分配装置の外部に配置されたサウンド生成デバイスを具備する、請求項１に記載のシート分配装置。
【請求項６】
芳香フィードバックを提供できる、請求項１に記載のシート分配装置において、
外部側壁表面と内部側壁表面とを有する開放側壁により囲まれた開口部であって、シートを個別に分配するために前記筐体に設けられる開口部と、
前記シート分配装置から除去されたシートと前記筐体の内面との間の摩擦の量を増大させるために、前記開放側壁の前記内部側壁表面の少なくとも一部に設けられる凹凸コーティングとを含み、
前記シートスタックの少なくとも１枚のシートが、該シートの上面にシートコーティングを有しており、該シートが前記凹凸コーティングの上を通るときに、該シートコーティングの少なくとも一部が該シートから分離する、請求項１に記載のシート分配装置。
【請求項７】
使用者へフィードバックを提供する方法であって、
第１のシートをシート分配装置の内部のシートスタックから少なくとも部分的に除去することを含み、
前記フィードバックは、
（ａ）前記シート分配装置の筐体の内部で、シートスタックの下に配置され、該筐体内での該シートスタックの移動により目視できるインディシアの、視覚フィードバックと、
（ｂ）前記筐体の内部または外部の視覚フィードバック生成／信号受信デバイスからの視覚フィードバックと、
（ｃ）前記筐体の内部または外部の音声フィードバック生成／信号受信デバイスからの音声フィードバックと、
（ｄ）（ｉ）前記筐体の内部からの、または（ｉｉ）前記筐体の内部もしくは外部の芳香フィードバック生成／信号受信デバイスからの、芳香フィードバックと、
（ｅ）これらフィードバックの組み合わせとの、いずれか１つを含む、
方法。
【請求項８】
信号受信デバイスへ信号を送信する方法であって、
第１のシートをシート分配装置の内部のシートスタックから少なくとも部分的に除去することを含む、方法。
【請求項９】
前記信号受信デバイスが前記シート分配装置の筐体の内部にある、請求項８に記載の方法。
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
厚紙あるいはそれと同等の物でできた折目付裁断片から形成された多角形の外側包装材と、この外側包装材内に個別に設けられ、かつ各々少なくとも一錠剤タイプの物体が収容されているフィルムポーチとを備えた、錠剤状の物体、特に壊れやすい錠剤を備えた包装システムにおいて、
折目付裁断片が、中心に対して対称に形成された、少なくとも一つの八角形の基部面（１）を備え、二つの長手方向縁部（２５）と二つの幅狭い縁部（２６）を有し、並びに角隅領域（Ｅ）内において、錠剤状の物体（２３）の外形に適合した四つの短い縁部（２７）を有しており、この場合、互いに結合可能な側壁（２，３，４，５）が、長手方向縁部（２５）と幅狭い縁部（２６）に枢着していること、
縁部側で各々角隅縁部（２７）の長さに相当している幅狭い側壁部分（６，７，８，９）が、二つの相対している側壁（２，３；４，５）に枢着していること、
各々相対している幅狭い側壁部分（６，７；８，９）には、縁部側で各々折目線を経由して、糊付けフラップ（４ａ，５ｂ；４ｂ，５ａ）が枢着しており、この糊付けフラップの幅が、最大で、所属している側壁（４，５）の幅に相当していること、および
幅狭い縁部２６に枢着している側壁（４，５）が、長手方向縁部２５に枢着している、幅狭い側壁部分（６，７，８，９）と糊付けフラップ（４ａ，５ｂ；４ｂ，５ａ）を備えた側壁（２，３）のほぼ半分の長さＬを有しており、糊付けフラップ（４ａ，５ｂ；４ｂ，５ａ）の幅が、所属している幅狭い側壁（４，５）の幅（幅狭い縁部（２６））にほぼ相当していることを特徴とする包装システム。
【請求項２】
さらなる幅狭い側壁部分（６，７，８，９）が、幅狭い側壁部分に枢着しており、この場合幅狭い側壁部分全ての全長が、少なくとも角隅縁部（２７）の長さに相当していることを特徴とする請求項１記載の包装システム。
【請求項３】
角隅縁部（２７）が外側に向けて丸みを付されて形成されており（半径Ｒ）、この場合その半径は１０と５０ｍｍの間、好ましくは２０と４０ｍｍの間、さらに好ましくは２５と３５ｍｍの間であることを特徴とする請求項１または２に記載の包装システム。
【請求項４】
長手方向縁部（２５）に枢着している側壁（２，３）が、包装材の高さに対応している長さ（Ｌ）を有しており、幅狭い縁部（２６）に枢着している側壁（４，５）が特に短く形成されていることを特徴とする請求項１〜３のいずれか一つに記載の包装システム。
【請求項５】
幅狭い側壁（４，５）には、折目線を経由して糊付けフラップ（６ａ，７ａ，８ａ，９ａ）が設けられており、その幅は特に角隅縁部（２７）よりも小さいことを特徴とする請求項１〜４のいずれか一つに記載の包装システム。
【請求項６】
カバー部分が、使用位置でわかるように、上部において、折目線を経由して少なくとも一つの幅広い側壁（２）に枢着していることを特徴とする請求項１〜５のいずれか一つに記載の包装システム。
【請求項７】
カバー部分が取外し可能であり、したがって包装材が連続使用される容器内に収納可能であることを特徴とする請求項６記載の包装システム。
【請求項８】
折目付裁断片の材料が、１００〜４０００Ｎ、好ましくは１０００〜３２００Ｎ、特に好ましくは１５００〜２８００Ｎの平面圧縮強さを有することを特徴とする請求項１〜７のいずれか一つに記載の包装システム。
【請求項９】
折目付裁断片が、Ｆ波形あるいはＥ波形を有するダンボール紙から成り、この場合、Ｅ波形（ＤＩＮ５５４８６パート１）の場合、３〜３．５ｍｍの波ピッチと、１．０から１．８、好ましくは１．４ｍｍの波高さが設けられ、Ｆ波形の場合、２〜３ｍｍ、好ましくは２．３８ｍｍの波ピッチと、０．６〜１．０ｍｍ、好ましくは０．７８ｍｍの波高さが設けられていることを特徴とする請求項１〜８のいずれか一つに記載の包装システム。
【請求項１０】
折目付裁断片が、３５０から６００ｇ／ｑｍ、好ましくは４５０〜５００ｇ／ｑｍである中実の厚紙から成ることを特徴とする請求項１〜９のいずれか一つに記載の包装システム。
【請求項１１】
錠剤は１０〜２００Ｎ、好ましくは３０〜７０Ｎ、特に好ましくは３５〜５５Ｎの直径方向破断硬度を有しているのが好ましく、この場合、錠剤（２３）は各々フィルムポーチ（２２）および／または外側包装材（２１）により各々横方向の荷重から保護されていることを特徴とする請求項１〜１０のいずれか一つに記載の包装システム。
【請求項１２】
幾つかの、好ましくは二つの錠剤（２３）が、フィルムポーチ（２２）の長手方向で、隣り合って設けられており、この場合錠剤の中心軸線が平行に整向されていることを特徴とする請求項１〜１１のいずれか一つに記載の包装システム。
【請求項１３】
幾つかのフィルムポーチ（２２）が、長手方向において、外側包装材（２１）内で互いに平行になって個別に配置されており、この際幾つかのフィルムポーチ（２２）が基部面１に対して平行な層を形成していることを特徴とする請求項１〜１２のいずれか一つに記載の包装システム。
【請求項１４】
フィルムポーチを端部側で閉じている横方向継目の間のフィルムポーチ（２２）の長さが、二つの相対している外側包装材２１の側壁（２，３；４，５）間の幅にほぼ相当していることを特徴とする請求項１〜１３のいずれか一つに記載の包装システム。
【請求項１５】
フィルムポーチを端部側で閉じている横方向継目の間のフィルムポーチ（２２）の長さが、二つの相対している外側包装材（２１）の側壁（２，３；４，５）間の幅よりも長いのが好ましく、したがってフィルムポーチの少なくとも一方の端部領域が、曲げられて側壁（２，３，４，５）に密着していることを特徴とする請求項１〜１４のいずれか一つに記載の包装システム。
【請求項１６】
フィルムポーチ（２２）の端部領域がどちらも、曲げられて対応している側壁（２，３；４，５）に密着していることを特徴とする請求項１５記載の包装システム。
【請求項１７】
フィルムポーチ（２２）が、以下のパラメータ、すなわち
（ＤＩＮ５３１２２による）透湿度（温度２３℃、相対湿度８５％における）が、０．７〜１．５ｇ／ｑｍ／２４ｈ、好ましくは０．９〜１．３ｇ／ｑｍ／２４ｈ、特に好ましくは１．０ｇ／ｑｍ／２４ｈ、
（ＤＩＮ５３４５５による）縦弾性係数が、１２００〜２５００Ｎ／ｑｍｍ、好ましくは１８００Ｎ／ｑｍｍ、
（ＤＩＮ５３４５５による）引張り強さが、１５０〜５００Ｎ／ｑｍｍ、好ましくは２５０Ｎ／ｑｍｍ、
厚さが２０〜４０μｍ、好ましくは２５〜３５μｍ、特に好ましくは３０μｍであるパラメータを備えたフィルムから成ることを特徴とする請求項１〜１６のいずれか一つに記載の包装システム。
【請求項１８】
フィルムポーチ（２２）が、共押出し成形されたＯＰＰフィルムのような、封止可能なフィルム、特に冷たい温度すなわち低温で封止可能なフィルムから成ることを特徴とする請求項１〜１７のいずれか一つに記載の包装システム。
【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
アルキル芳香族炭化水素を含む供給物流からビニル芳香族炭化水素を製造するために使用される脱水素触媒の充填された少なくとも１つの反応室に触媒延命剤を供給することを含んでなる、但し該脱水素触媒が鉄酸化物触媒及び水酸化カリ助触媒を含み且つ該触媒延命剤が酢酸カリウムである、ビニル芳香族炭化水素を該供給物流から製造する方法。
【請求項２】
反応器に向かう全アルキル芳香族炭化水素の重量に対し、重量で０．０１−１００ｐｐｍの触媒延命剤の連続添加に相当する速度で、触媒延命剤を当該少なくとも１つの反応器に供給することを更に含んでなる、請求項１の方法。
【請求項３】
反応器に向かう全アルキル芳香族炭化水素の重量に対し、重量で０．１０−１０ｐｐｍの触媒延命剤の連続添加に相当する速度で、触媒延命剤を当該少なくとも１つの反応器に供給することを更に含んでなる、請求項２の方法。
【請求項４】
反応器に向かう全アルキル芳香族炭化水素の重量に対し、重量で５ｐｐｍの触媒延命剤の連続添加に相当する速度で、触媒延命剤を当該少なくとも１つの反応器に供給することを更に含んでなる、請求項３の方法。
【請求項５】
ビニル芳香族炭化水素の製造を中断することなく、触媒延命剤を当該少なくとも１つの反応室に供給することを更に含んでなる、請求項１の方法。
【請求項６】
供給物流中に水蒸気がすでに存在する、請求項１の方法。
【請求項７】
水蒸気を供給物流に添加することを更に含んでなる、請求項１の方法。
【請求項８】
水蒸気を用いて、触媒延命剤を供給物流に注入することを更に含んでなる、請求項１の方法。
【請求項９】
触媒延命剤を直接供給物流に注入することを更に含んでなる、請求項１の方法。
【請求項１０】
触媒延命剤を直接触媒床に供給することを更に含んでなる、請求項１の方法。
【請求項１１】
３００−８００℃の温度で行われる、請求項１の方法。
【請求項１２】
ビニル芳香族炭化水素がスチレンまたはメチルスチレンである、請求項１の方法。
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
ｉ）ａ）２５０℃以下の沸点および３．０未満のＣｌｏｇＰを有する１又はそれ以上の芳香成分の香料組成物を少なくとも１０．０重量％と；
ｂ）２５０℃以下の沸点および３．０以上のＣｌｏｇＰを有する１又はそれ以上の芳香成分の香料組成物を少なくとも１５重量％と；
ｃ）２５０℃を超える沸点を有する１又はそれ以上の芳香成分の香料組成物を少なくとも２０重量％と
を含む、香料組成物；および
ｉｉ）少なくとも１つの界面活性剤を含む水中シリコーンエマルジョンを含み、
分散シリコーンが１００ミリオンｍｍ2ｓ-1以上の粘度および２μｍ以下の粒径を有する、
組成物。
【請求項２】
前記水中シリコーンエマルジョンが非イオン性であり、前記シリコーンが直鎖ポリシロキサンポリシルアルキレンコポリマーであって、１価シリコーン置換基が実質的にすべてＣ1-6炭化水素基であり、コポリマーが１５０ミリオンｍｍ2ｓ-1以上の粘度および１μｍ以下の粒径を有する、請求項１に記載の組成物。
【請求項３】
前記水中シリコーンエマルジョンが、Ｓｉ−Ｈ末端でブロックされたポリジメチルシロキサンおよびビニル末端でブロックされたポリジメチルシロキサンのヒドロシリル化によって形成され、約１７０ｍｍ2ｓ-1の粘度および約０．５μｍの粒径を有する、直鎖シリコーンコポリマー約６０重量％と、非イオン性界面活性剤約５重量％とを含む非イオン性エマルジョンである、請求項２に記載の組成物。
【請求項４】
前記香料組成物が：
ａ）２５０℃以下の沸点および３．０未満のＣｌｏｇＰを有する１又はそれ以上の芳香成分の香料組成物を少なくとも１０．０重量％と；
ｂ）２５０℃以下の沸点および３．０以上のＣｌｏｇＰを有する１又はそれ以上の芳香成分の香料組成物を少なくとも２０重量％と；
ｃ）２５０℃を超える沸点を有する１又はそれ以上の芳香成分の香料組成物を少なくとも３０重量％と
を含む、請求項１〜３の何れかに記載の組成物。
【請求項５】
前記香料組成物が：
ａ）２５０℃以下の沸点および３．０未満のＣｌｏｇＰを有する１又はそれ以上の芳香成分の香料組成物を少なくとも２０．０重量％と；
ｂ）２５０℃以下の沸点および３．０以上のＣｌｏｇＰを有する、１又はそれ以上の芳香成分の香料組成物を少なくとも１５重量％と；
ｃ）２５０℃を超える沸点を有する１又はそれ以上の芳香成分の香料組成物を少なくとも３０重量％と
を含む、請求項１〜３の何れかに記載の組成物。
【請求項６】
前記香料組成物が：
ａ）２５０℃以下の沸点および３．０未満のＣｌｏｇＰを有する１又はそれ以上の芳香成分の香料組成物を３０．０〜４０．０重量％と;
ｂ）２５０℃以下の沸点および３．０以上のＣｌｏｇＰを有する１又はそれ以上の芳香成分の香料組成物を２０．０〜２５．０重量％と; 
ｃ）２５０℃を超える沸点を有する１又はそれ以上の芳香成分の香料組成物を４０．０〜４５．０重量％と
を含む、請求項１〜３の何れかに記載の組成物。
【請求項７】
前記シリコーン：香料組成物の重量比が１：１〜１０：１である、請求項１〜６の何れかに記載の組成物。
【請求項８】
請求項１〜７の何れかに記載の組成物を含む、ヘアケア調製物。
【請求項９】
前記ヘアケア調製物がシャンプー、コンディショナー、またはコンディショニングシャンプーである、請求項８に記載のヘアケア調製物。
【請求項１０】
頭髪に、請求項８または９に記載のヘアケア調製物を適用することを含む、頭髪を洗浄する方法。
【請求項１１】
頭髪に、請求項８または９に記載のヘアケア調製物を適用することを含む、頭髪への香料被着を改良する方法。